(57)【要約】      （修正有）【課題】漏電防止可能な水素機器の電極装置を提供する。【解決手段】本考案に係る漏電防止可能な水素機器の電極装置１は少なくとも１つの導電ユニット２１、２２にそれぞれ電気的に接続される少なくとも１つの電解ユニット１１、１２を備える。前記電解ユニット１１、１２の外部には金属を含む外部カバー３０が設置されて、前記電解ユニット１１、１２が作用時に発生させる電場を遮蔽させ、且つ前記外部カバー３０は少なくとも１つの開口面３１或いは少なくとも１つの流通部を有し、水分子を前記外部カバー３０内に流入させて前記電解ユニット１１、１２に接触させ、さらに電解反応を発生させて水素及び酸素を形成させ、前記外部カバー３０により電場の作用を遮蔽させて、使用者が電場による刺痛を受けないようにする。【選択図】図１Ａ
0003203733.tif 000002
【実用新案登録請求の範囲】
【請求項１】
少なくとも１つの導電ユニットにそれぞれ電気的に接続される少なくとも１つの電解ユニットを備える漏電防止可能な水素機器の電極装置であって、
前記電解ユニットの外部には金属を含む外部カバーが設置されて、前記電解ユニットが作用時に発生させる電場を遮蔽させ、
前記外部カバーは少なくとも１つの流通部を有し、水分子を前記外部カバー内に流入させると共に前記電解ユニットに接触させることを特徴とする、
漏電防止可能な水素機器の電極装置。
【請求項２】
前記流通部は開口面であることを特徴とする、請求項１に記載の漏電防止可能な水素機器の電極装置。
【請求項３】
前記流通部は孔部であることを特徴とする、請求項１または２に記載の漏電防止可能な水素機器の電極装置。
【請求項４】
前記孔部は前記外部カバーがメッシュ状に編まれることで形成されることを特徴とする、請求項３に記載の漏電防止可能な水素機器の電極装置。
【請求項５】
前記孔部は前記外部カバーがパンチャーにより穴を開けられることで形成されることを特徴とする、請求項３に記載の漏電防止可能な水素機器の電極装置。
【請求項６】
前記外部カバーは、水素機器本体の接地点に電気的に接続される接地端子を更に有することを特徴とする、請求項１に記載の漏電防止可能な水素機器の電極装置。
【請求項７】
前記外部カバー上の金属は焼付け塗装、嵌入、混入、薄膜被覆、金属メッシュの増設の内の何れか１つの方式により前記外部カバーに結合されることを特徴とする、請求項１に記載の漏電防止可能な水素機器の電極装置。
【請求項８】
前記外部カバーは金属製であることを特徴とする、請求項１に記載の漏電防止可能な水素機器の電極装置。
【考案の詳細な説明】
【技術分野】
【０００１】
本考案は、漏電防止可能な水素機器の電極装置に関し、より詳しくは、電解ユニットの外囲に金属を含む外部カバーが設置されて、電解ユニットが作用時に発生させる電場を遮蔽させる、漏電防止可能な水素機器の電極装置に関する。
【背景技術】
【０００２】
現在多くの研究で指摘されるように、水素は多くの医学及び保険分野に有効に適用可能である。人間が少量の水素を吸収すると、抗酸化作用が発生し、毒性を有する遊離基が中和されるため、糖尿病、器官の損傷、脳卒中、損傷の放射線治療、老年性痴呆症、脳梗塞、高血圧、癌症等の様々な疾病の治療に使用される。
【考案の概要】
【考案が解決しようとする課題】
【０００３】
しかしながら、前述した従来の技術では、以下の問題がある。
即ち、現在市場では水素を発生させる多くの水素機器が開発されている。幾つかの水素機器では電解ユニットが電極ケースに内設され、使用者が入浴或いは足湯に浸かる際に、前記電極ケースを水を有する浴槽或いは盆体の中に設置させ、且つ前記浴槽或いは盆体中の水を前記電極ケース内に進入させ、水分子が前記電極ケースに内設される電解ユニットに接触されると、電解反応により水素及び酸素が形成される。使用者は水中から漏れ出た水素及び酸素を吸収でき、或いは皮膚が水素及び酸素に直接接触されて皮膚から吸収できる。また、幾つかの水素機器は直接人体に接触されるように設計されており、人体がより直接的に水素及び酸素に接触されて吸収を行うことで、吸収効率が高まる。
しかし、いかなる形式であれど、前記電解ユニットは作用時に電場を発生させるため、漏電が発生し、使用者が前記電極ケースに近付くか前記水素機器に接触すると、その身体の部位に刺痛が発生する。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の目的は、電解ユニットの外囲に金属を含む外部カバーが設置されて、電解ユニットが作用時に発生させる電場を遮蔽させ、漏電の発生を回避させて水素機器の安全性を向上させる、漏電防止可能な水素機器の電極装置を提供することにある。
【課題を解決するための手段】
【０００６】
上述した課題を解決し、上記目的を達成するための本考案に係る漏電防止可能な水素機器の電極装置は、少なくとも１つの導電ユニットにそれぞれ電気的に接続される少なくとも１つの電解ユニットを備え、前記電解ユニットの外部には金属を含む外部カバーが設置されて、前記電解ユニットが作用時に発生させる電場を遮蔽させ、且つ前記外部カバーは少なくとも１つの流通部を有し、水分子を前記外部カバー内に流入させると共に前記電解ユニットに接触させる。
【０００７】
本考案に係る漏電防止可能な水素機器の電極装置においては、前記流通部は開口面である。
【０００８】
本考案に係る漏電防止可能な水素機器の電極装置においては、前記流通部は孔部である。
【０００９】
本考案に係る漏電防止可能な水素機器の電極装置においては、前記孔部は前記外部カバーがメッシュ状に編まれることで形成される。
【００１０】
本考案に係る漏電防止可能な水素機器の電極装置においては、前記孔部は前記外部カバーがパンチャーにより穴を開けられることで形成される。
【００１１】
本考案に係る漏電防止可能な水素機器の電極装置においては、前記外部カバーは、水素機器本体の接地点に電気的に接続される接地端子を更に有する。
【００１２】
本考案に係る漏電防止可能な水素機器の電極装置においては、前記外部カバー上の金属は焼付け塗装、嵌入、混入、薄膜被覆、金属メッシュの増設等の内の何れか１つの方式により前記外部カバーに結合される。
【００１３】
本考案に係る漏電防止可能な水素機器の電極装置においては、前記外部カバーは金属による外部カバーである。
【考案の効果】
【００１４】
本考案によれば、漏電防止可能な水素機器の電極装置が得られる。
【図面の簡単な説明】
【００１５】
【図１Ａ】本考案の第１実施形態に係る漏電防止可能な水素機器の電極装置に用いられる流過部の開口面が電解ユニットの平行面に設置される外観斜視図である。
【図１Ｂ】本考案の第１実施形態に係る漏電防止可能な水素機器の電極装置に用いられる流過部の開口面が電解ユニットの垂直面に設置される外観斜視図である。
【図２Ａ】本考案の第１実施形態に係る漏電防止可能な水素機器の電極装置において、流過部とする孔部を有する第一外観斜視図である。
【図２Ｂ】本考案の第１実施形態に係る漏電防止可能な水素機器の電極装置において、流過部とする孔部を有する第二外観斜視図である。
【図３】本考案の第１実施形態に係る漏電防止可能な水素機器の電極装置を示す実施図である。
【図４】本考案の第１実施形態に係る漏電防止可能な水素機器の電極装置において、接地端子を有する金属外部ケ−スを示す外観斜視図である。
【考案を実施するための形態】
【００１６】
以下、図面を参照して、本考案を実施するための形態について、詳細に説明する。なお、本考案は、以下に説明する実施形態に限定されるものではない。
【実施例】
【００１７】
（第１実施形態）
図１Ａ、図１Ｂ、図２Ａ及び図２Ｂに示すように、本考案の漏電防止可能な水素機器の電極装置１は、少なくとも１つの導電ユニット２１及び導電ユニット２２にそれぞれ電気的に接続される少なくとも１つの電解ユニット１１及び電解ユニット１２を備える。
これらの電解ユニット１１及び電解ユニット１２の外部には金属を含む外部カバー３０が設置され、前記外部カバー３０の金属は焼付け塗装、嵌入、混入、薄膜被覆、金属メッシュの増設等の内の何れか１つの方式により前記外部カバー３０に結合される。或いは、前記外部カバー３０は金属で構成される金属による外部カバーであり、これらの電解ユニット１１及び電解ユニット１２が作用時に発生させる電場を遮蔽させる。前記外部カバー３０は少なくとも１つの流通部を有し、水分子を前記外部カバー３０内に流入させると共にこれらの電解ユニット１１及び電解ユニット１２に接触させ、さらに電解反応を発生させて水素及び酸素を形成させる。
これらの流通部は開口面３１或いは孔部３２であり、さらには、同時に開口面３１及び孔部３２を有してもよく、これらの開口面３１がこれらの電解ユニット１１及び電解ユニット１２に平行する平行面に設置されるか（図１Ａ参照）、或いはこれらの電解ユニット１１及び電解ユニット１２に垂直になる垂直面に設置される（図１Ｂ参照）。これらの孔部３２は前記外部カバー３０がメッシュ状に編まれることで形成されるか、或いは前記外部カバー３０がパンチャーにより穴を開けられることで形成される。
【００１８】
図３は本考案の第１実施形態に係る漏電防止可能な水素機器の電極装置を示す実施図である。
図３の実施図においては、本考案の漏電防止可能な水素機器の電極装置１は電極ケース４０に内設され、前記電極ケース４０はケース体であり且つ複数の孔部を有する。また、前記電極ケース４０内の導電ユニット２１及び導電ユニット２２は電線により水素機器本体５０に接続され、前記電極ケース４０は水を有する浴槽６０或いは盆体（図示せず）の中に設置され、前記浴槽６０或いは盆体中の水は前記電極ケース４０中に流入され、流通部を経由して前記漏電防止可能な水素機器の電極装置１の電解ユニット１１及び電解ユニット１２に接触されて電解により水素及び酸素が形成される。
使用者が入浴や足湯等を行うと、大量の水素及び酸素を吸収でき、これら前記電解ユニット１１及び電解ユニット１２が電解作用時に発生させる電場を遮蔽させ、使用者の電極ケース４０の付近の身体の部位が電場による刺痛を受けないようにし、或いは本考案が人体に接触しやすい水素機器に設置されると、その効果を発揮させる。
【００１９】
さらに、図４に示すように、前記外部カバー３０に接地端子３３が更に設置され、且つ前記接地端子３３が前記電線により前記水素機器本体５０の接地点（図示せず）に電気的に接続されることで、本考案の漏電防止可能な水素機器の電極装置１が漏電の発生を確実に防止して使用上の安全性を高める。
【００２０】
以上の構成から、本考案の漏電防止可能な水素機器の電極装置は、電解ユニットの外囲に金属を含む外部カバーが設置され、電解ユニットが作用時に発生させる電場を遮蔽させ、漏電の発生を回避させることで水素機器の安全性を高める。特に、使用者が人体に接触しやすい形式の水素機器或いは水素機器の電極ケースを使用する場合に、電場による刺痛を感じさせない。
【００２１】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれる。
【符号の説明】
【００２２】
１  漏電防止可能な水素機器の電極装置
１１、１２  電解ユニット
２１、２２  導電ユニット
３０  外部カバー
３１  開口面
３２  孔部
３３  接地端子
４０  電極ケース
５０  水素機器本体
６０  浴槽
【図１Ａ】
0003203733.tif 000003
【図１Ｂ】
0003203733.tif 000004
【図２Ａ】
0003203733.tif 000005
【図２Ｂ】
0003203733.tif 000006
【図３】
0003203733.tif 000007
【図４】
0003203733.tif 000008